(57)【特許請求の範囲】
【請求項１】
結ばれた水引から構成される装飾品であって、
前記水引における第１点と、前記第１点より前記水引の一端に近い第２点と、の間の部分から構成され、前記第２点の上に前記第１点が位置する輪を有し、
前記第１点と前記水引の他端との間は、前記輪と２点または４点で交差しており、
前記第２点と前記一端との間は、前記輪と２点で交差している、装飾品。
【請求項２】
離婚女性への贈呈用である、請求項１に記載の装飾品。
【請求項３】
前記水引の一端を前記輪から引き抜く方向に引っ張ることによって結ばれた水引をほどく、請求項１または２に記載の装飾品の使用方法。
【請求項４】
結ばれた水引から構成される装飾品の製造方法であって、
前記水引における第１点と、前記第１点より前記水引の一端に近い第２点とを、前記第１点が上になるよう交差させて、前記第１点と前記第２点との間の部分で構成される１段目の輪を形成する工程と、
前記水引の他端を前記輪の下から通して上から引き抜く工程と、
前記一端を前記輪の下から通して上から引き抜く工程と、を備える装飾品の製造方法。
【発明の詳細な説明】
【技術分野】
【０００１】
本発明は、装飾品、特に離婚者贈呈用の装飾品に関する。また、本発明は、そのような装飾品の使用方法および製造方法に関する。
【背景技術】
【０００２】
結婚祝い用のご祝儀袋に付す水引は、あわじ結びや結び切りなど、ほどけにくい結び方とするのが一般的である。「２度と繰り返さない」あるいは「縁を結ぶ」ことが連想され、結婚祝いにふさわしいためである。
【先行技術文献】
【特許文献】
【０００３】
【特許文献１】特開平８−１００３５８号公報
【発明の概要】
【発明が解決しようとする課題】
【０００４】
本発明の課題は、新たな装飾品を提供することである。
【課題を解決するための手段】
【０００５】
本発明の一態様によれば、チェーンノットまたはスリップノットで結ばれた水引から構成され、前記水引の一端を所定方向に引っ張ることでほどける、離婚者贈呈用の装飾品が提供される。
【０００６】
本発明の別の態様によれば、結ばれた水引から構成され、前記水引の一端を所定方向に引っ張ることでほどける、離婚者贈呈用の装飾品が提供される。
【０００７】
本発明の別の態様によれば、結ばれた（ただし蝶結びを除く）水引から構成され、前記水引の一端を所定方向に引っ張ることでほどける装飾品が提供される。
【０００８】
本発明の別の態様によれば、結ばれた水引から構成される装飾品であって、それぞれが前記水引の一部から構成されるｎ段（ｎは３以上の整数）の輪を有し、前記ｎ段の輪は、前記水引の他端側から一端側に向かって順に並んでおり、かつ、隣接する輪と互いに２点で交差しており、１段目の輪は、前記水引における第１点と、前記第１点より前記一端に近い第２点と、の間の部分から構成され、前記第１点の上に前記第２点が位置し、２〜（ｎ−１）段目の輪は、前段の輪と前記一端との間のある点と、前記ある点より前記一端に近い他の点と、の間の部分から構成され、前記ある点の上に前記他の点が位置し、ｎ段目の輪は、（ｎ−１）段目の輪と前記一端との間の第３点と、前記第３点より前記一端に近い第４点と、の間の部分から構成され、前記第３点の下に前記第４点が位置する、装飾品が提供される。
【０００９】
本発明の別の態様によれば、結ばれた水引から構成される装飾品であって、前記水引における第１点と、前記第１点より前記一端に近い第２点と、の間の部分から構成され、前記第２点の上に前記第１点が位置する輪を有し、前記第１点と前記他端との間は、前記輪と２点または４点で交差しており、前記第２点と前記一端との間は、前記輪と２点で交差している、装飾品が提供される。
【００１０】
上記の装飾品は、離婚女性への贈呈用であってもよい。
【００１１】
本発明の別の態様によれば、前記水引の一端を前記所定方向に引っ張ることによって結ばれた水引をほどく、上記の装飾品の使用方法が提供される。
【００１２】
本発明の別の態様によれば、結ばれた水引から構成される装飾品であって、それぞれが前記水引の一部から構成される、前記水引の他端側から一端側に向かって順に並ぶｎ段（ｎは２以上の整数）の輪を有する装飾品の製造方法であって、１段目の輪を形成する工程と、形成した前段の輪と隣接する２〜（ｎ−１）段目の輪を形成する工程と、ｎ段目の輪を形成する工程と、を備え、前記１段目の輪を形成する工程では、前記水引における第１点と、前記第１点より前記一端に近い第２点とを、前記第２点が上になるよう交差させて、前記第１点と前記第２点との間の部分で構成される１段目の輪を形成し、前記形成した前段の輪と隣接する２〜（ｎ−１）段目の輪を形成する工程のそれぞれでは、前記一端を、前記前段の輪の上から通して下から引き抜き、かつ、前記前段の輪と前記一端との間の部分の上から引き抜いて、前記前段の輪と前記一端との間のある点と、前記ある点より前記一端に近い他の点と、の間の部分で構成される、前記前段の輪と隣接する輪を形成し、前記ｎ段目の輪を形成する工程では、前記一端を、前記（ｎ−１）段目の輪の上から通して下から引き抜き、かつ、前記前段の輪と前記一端との間の部分の下から引き抜いて、前記前段の輪と前記一端との間の第３点と、前記第３点より前記一端に近い第４点と、の間の部分で構成される、前記ｎ段目の輪を形成する、装飾品の製造方法が提供される。
【００１３】
本発明の別の態様によれば、結ばれた水引から構成される装飾品の製造方法であって、前記水引における第１点と、前記第１点より前記一端に近い第２点とを、前記第１点が上になるよう交差させて、前記第１点と前記第２点との間の部分で構成される１段目の輪を形成する工程と、前記他端を前記輪の下から通して上から引き抜く工程と、前記一端を前記輪の下から通して上から引き抜く工程と、を備える装飾品の製造方法が提供される。
【図面の簡単な説明】
【００１４】
【図１Ａ】一実施形態に係る装飾品の平面図。
【図１Ｂ】一実施形態に係る装飾品の正面図。
【図１Ｃ】一実施形態に係る装飾品の背面図。
【図１Ｄ】一実施形態に係る装飾品の底面図。
【図１Ｅ】一実施形態に係る装飾品の左側面図。
【図１Ｆ】一実施形態に係る装飾品の右側面図。
【図１Ｇ】一実施形態に係る装飾品の正面図。
【図２Ａ】一実施形態に係る装飾品の製造工程を示す図。
【図２Ｂ】図２Ａに引き続く、装飾品の製造工程を示す図。
【図２Ｃ】図２Ｂに引き続く、装飾品の製造工程を示す図。
【図２Ｄ】図２Ｃに引き続く、装飾品の製造工程を示す図。
【図２Ｅ】図２Ｄに引き続く、装飾品の製造工程を示す図。
【図２Ｆ】図２Ｅに引き続く、装飾品の製造工程を示す図。
【図２Ｇ】図２Ｆに引き続く、装飾品の製造工程を示す図。
【図３】装飾品を直方体形状の贈呈品にラッピングした状態を示す図。
【図４】装飾品を瓶形状の贈呈品にラッピングした状態を示す図。
【図５Ａ】変形例に係る装飾品の平面図。
【図５Ｂ】変形例に係る装飾品の平面図。
【図６Ａ】変形例に係る装飾品の製造工程を示す図。
【図６Ｂ】図６Ａに引き続く、装飾品の製造工程を示す図。
【図６Ｃ】図６Ｂに引き続く、装飾品の製造工程を示す図。
【図７】別の変形例に係る装飾品の平面図。
【発明を実施するための形態】
【００１５】
以下、本発明に係る実施形態について、図面を参照しながら具体的に説明する。
【００１６】
図１Ａ〜図１Ｆは、それぞれ、一実施形態に係る装飾品の平面図、正面図、背面図、底面図、左側面図および右側面図である。また、図１Ａに符号等を付したものが図１Ｇである。この装飾品は、離婚者（離婚した者あるいは離婚することが決まった者、以下同じ）、主として離婚女性に対して贈呈されることを想定している。
【００１７】
今日、離婚に対するネガティブな印象が根強いことは否めない。とりわけ、離婚した女性に対して、「離婚するほど欠陥がある人」といった視線に晒されることさえある。しかし、日本では３組に１組の夫婦が離婚しているのが現状であり、離婚は誰にでも可能性があるものであって、近年の離婚件数を鑑みれば、世間における離婚の捉え方を寛容にすることが望まれる。
【００１８】
そこで、本願発明者は新たな装飾品を提案する。この装飾品は結んだ水引から構成される。そして、水引の一端Ａ（正確には、一端Ａと後述する輪Ｒ８との間の任意の部分）を所定方向（図１Ｇの矢印方向）に引っ張ることでほどけるのが本装飾品の特徴の１つである。本願発明者は、ほどきやすいように結ばれた水引が「後腐れなく、しがらみや悪縁をほどく」ことを連想させるという属性を見出し、離婚者への贈呈という新たな用途に適することに想到したのである。
【００１９】
贈呈者（例えば、離婚者の友人）がこのような装飾品を離婚者に贈呈することで、離婚までの苦労を労い、新たな門出を祝うことが可能となる。そして、離婚者は水引の一端を引っ張ってほどくことで、旧配偶者と後腐れなく、しがらみや悪縁をほどいて、新たな人生を切り拓いていく象徴、願掛け、縁起物として、本装飾品を受け取ることができる。
【００２０】
本装飾品を構成する水引は、通常は複数の紐を束ねたものであるが、１つの紐であってもよい。複数の紐は、紅白あるいは白黒といった複数の色に着色されていてもよいし、単色であってもよい。
【００２１】
ほどける水引の結び方の一例として、チェーンノットを適用できる。この場合、装飾品は水引の一端Ａと他端Ｂとの間に形成された複数（例えば３以上）の輪Ｒ１〜Ｒ８を有する（図１Ｇ参照）。例えば、水引の他端Ｂに最も近い輪Ｒ１は、点Ｐ１と、点Ｐ１より一端Ａに近い点Ｐ２の間の部分によって形成されており、ここで、点Ｐ２は点Ｐ１上に位置する。また、輪Ｒ１と隣接する輪Ｒ２は、点Ｐ２より一端Ａに近い点Ｐ３と、点Ｐ３より一端Ａに近い点Ｐ４との間の部分によって形成されており、ここで、点Ｐ４は点Ｐ３上に位置する。
【００２２】
そして、輪Ｒ１と輪Ｒ２が２点Ｃ１，Ｃ２で互いに交差している。より具体的には、輪Ｒ１において、他端Ｂに近い交差点Ｃ１では輪Ｒ１が上に位置しており、一端Ａに近い交差点Ｃ２では輪Ｒ１が下に位置している。
【００２３】
他の輪Ｒ３〜Ｒ８もほぼ同様である。ただし、水引の一端Ａに最も近い輪Ｒ８は、点Ｐ１５と、点Ｐ１５より一端Ａに近い点Ｐ１６の間の部分によって形成されており、ここで、点Ｐ１６は点Ｐ１５の下に位置する。一端Ａに最も近い輪Ｒ８における点Ｐ１６が点Ｐ１５の下に位置することにより、一端Ａを輪Ｒ８から離れる方向へ引っ張ることで、簡単にほどけるようになっている。
【００２４】
続いて、チェーンノットを適用した装飾品の製造方法の一例を説明する。
【００２５】
まず、図２Ａに示すように、水引における点Ｐ１と点Ｐ２を、点Ｐ２が上になるよう交差させて、点Ｐ１と点Ｐ２の間の部分から輪Ｒ１を形成する。
【００２６】
次に、図２Ｂに示すように、一端Ａを輪Ｒ１の任意の点の上から通し（矢印Ｆ１参照）、次いで、当該任意の点と点Ｐ１との間の点において輪Ｒ１の下から引き抜き（矢印Ｆ２参照）、かつ、点Ｐ２より一端Ａ側の部分の上から引き抜く（矢印Ｆ３参照）。そして、図２Ｃに示すように、さらに一端Ａを他端Ｂとは反対側（図の右側）に引き抜くことで、点Ｐ３と点Ｐ４の間の部分から形成される輪Ｒ２の形状を整える。
【００２７】
同様に、図２Ｄに示すように、一端Ａを輪Ｒ２の任意の点の上から通し（矢印Ｇ１参照）、次いで、当該任意の点と点Ｐ３との間の点において輪Ｒ２の下から引き抜き（矢印Ｇ２参照）、かつ、点Ｐ４より一端Ａ側の部分の上から引き抜く（矢印Ｇ３参照）。そして、図２Ｅに示すように、さらに一端Ａを他端Ｂとは反対側（図の右側）に引き抜くことで、点Ｐ５と点Ｐ６の間の部分から形成される輪Ｒ３の形状を整える。
【００２８】
以下同様にして、輪Ｒ４〜Ｒ７を形成する（図２Ｆ）。そして、図２Ｇに示すように、一端Ａを輪Ｒ７の任意の点の上から通し（矢印Ｈ１参照）、当該任意の点と点Ｐ１３との間の点において輪７の下から引き抜き（矢印Ｈ２参照）、かつ、一端Ａを点Ｐ１４より一端Ａ側の部分の（上ではなく）下から引き抜く（矢印Ｈ３参照）ことで、点Ｐ１５と点Ｐ１６の間の部分から形成される輪Ｒ８の形状を整える。図２Ｇの状態になると、一端Ａを引っ張ることで簡単にほどけるようになる。
【００２９】
そして、一端Ａおよび他端Ｂの位置や、輪Ｒ１〜Ｒ８および全体の形状を適宜整えることで、図１Ａ〜図１Ｆに示す装飾品となる。
【００３０】
この装飾品は、ご祝儀袋に付すこともできるし、直方体形状あるいは瓶形状の贈呈品に付してラッピングとして用いてもよい（図３および図４参照）。もちろん、円柱形状など、他の任意の贈呈品のラッピングとすることもできる。
【００３１】
なお、装飾品を構成する水引の結び方については、一端を引っ張ることでほどける結び方であれば特に制限はなく、チェーンノット以外の結び方であってもよい（ただし、出産祝い等に用いられる蝶結びでないのが好ましい）。
【００３２】
チェーンノット以外の結び方としては、例えばスリップノット（「引き解け結び」ともいう）を適用できる。図５Ａは、スリップノットを適用した装飾品の平面図であり、図５Ａに符号等を付したものが図５Ｂである。この結び方でも、水引の一端Ａを所定方向（図５Ｂの矢印方向）に引っ張ることで、本装飾品はほどける。
【００３３】
スリップノットの場合、図５Ｂに示すように、装飾品は水引の他端Ｂから延びる輪Ｒ１１を有する。具体的には、輪Ｒ１１は、水引における点Ｑ１と、点Ｑ１より一端Ａに近い（他端Ｂから離れた）点Ｑとの間の部分によって形成されており、ここで、点Ｑ１は点Ｑ２上に位置する。
【００３４】
点Ｑ１と他端Ｂの間の部分は、２点Ｃ１１，Ｃ１２で輪Ｒ１１と互いに交差している。より具体的には、輪Ｒ１１において、他端Ｂに近い交差点Ｃ１１では輪Ｒ１１が下に位置しており、一端Ａに近い交差点Ｃ１２では輪Ｒ１１が上に位置している。
【００３５】
また、点Ｑ２と一端Ａの間の部分は、２点Ｃ１３，Ｃ１４で輪Ｒ１１と互いに交差している。より具体的には、輪Ｒ１１において、一端Ａに近い交差点Ｃ１３では輪Ｒ１１が下に位置しており、他端Ｂに近い交差点Ｃ１４では輪Ｒ１１が上に位置している。
【００３６】
続いて、スリップノットを適用した装飾品の製造方法の一例を説明する。
【００３７】
まず、図６Ａに示すように、水引における点Ｑ１と点Ｑ２とを、点Ｑ１が上になるよう交差させて、点Ｑ１と点Ｑ２の間の部分から輪Ｒ１１を形成する。
【００３８】
次に、図６Ｂに示すように、他端Ｂを輪Ｒ１１の任意の点の下から通し（矢印Ｇ１参照）、さらに、輪Ｒ１１の上から図の左側に引き抜く（矢印Ｇ２参照）。
【００３９】
その後、図６Ｃに示すように、一端Ａを輪Ｒ１１における任意の点の下から通し（矢印Ｇ３参照）、さらに、輪Ｒ１１の上から図の左側に引き抜く（矢印Ｇ４参照）。
【００４０】
そして、一端Ａおよび他端Ｂの位置や、輪Ｒ１１および全体の形状を適宜整えることで、図５に示す装飾品となる。
【００４１】
なお、スリップノットは、図７に示すように他端Ｂをさらに輪Ｒ１１に通し、交差点Ｃ１５，１６でも輪Ｒ１１と交差するようにしてもよい（スリップドにしたスリップノット）。輪Ｒ１１において、他端Ｂに近い交差点Ｃ１６では輪Ｒ１１が上に位置しており、一端Ａに近い交差点Ｃ１５では輪Ｒ１１が下に位置している。スリップドにしたスリップノットの場合、他端Ｂを矢印方向に引っ張っても装飾品がほどける。
【００４２】
このように、本実施形態に係る装飾品は、一端を引っ張ることで簡単にほどけるように結ばれた水引から構成される。そのため、「ほどける」ことが「後腐れなく、しがらみや悪縁をほどく」ことにつながり、離婚者の新たな門出を祝うことが可能となる。なお、本装飾品の用途は必ずしも離婚者贈呈用に限られるものではない。
【００４３】
上述した実施形態は、本発明が属する技術分野における通常の知識を有する者が本発明を実施できることを目的として記載されたものである。上記実施形態の種々の変形例は、当業者であれば当然になしうることであり、本発明の技術的思想は他の実施形態にも適用しうることである。したがって、本発明は、記載された実施形態に限定されることはなく、特許請求の範囲によって定義される技術的思想に従った最も広い範囲とすべきである。
【符号の説明】
【００４４】
Ａ  水引の一端
Ｂ  水引の他端
Ｒ１〜Ｒ８  輪
Ｐ１〜Ｐ１６  水引上の点
【図１Ａ】
0006980052.tif 000002
【図１Ｂ】
0006980052.tif 000003
【図１Ｃ】
0006980052.tif 000004
【図１Ｄ】
0006980052.tif 000005
【図１Ｅ】
0006980052.tif 000006
【図１Ｆ】
0006980052.tif 000007
【図１Ｇ】
0006980052.tif 000008
【図２Ａ】
0006980052.tif 000009
【図２Ｂ】
0006980052.tif 000010
【図２Ｃ】
0006980052.tif 000011
【図２Ｄ】
0006980052.tif 000012
【図２Ｅ】
0006980052.tif 000013
【図２Ｆ】
0006980052.tif 000014
【図２Ｇ】
0006980052.tif 000015
【図３】
0006980052.tif 000016
【図４】
0006980052.tif 000017
【図５Ａ】
0006980052.tif 000018
【図５Ｂ】
0006980052.tif 000019
【図６Ａ】
0006980052.tif 000020
【図６Ｂ】
0006980052.tif 000021
【図６Ｃ】
0006980052.tif 000022
【図７】
0006980052.tif 000023